(57)【要約】構造部分（１）を眼鏡レンズ（２）に取付ける装置であって、レンズ縁にかぶさる構造部分（１）の端部ブリッジ（８）、端部ブリッジ（８）から突出しかつ逆鉤状断面の環状隆起（５）を持つ２つの平行な取付けピン（４）、及び眼鏡レンズ（２）の穴へ挿入可能で穴縁にかぶさる頭部を持つプラスチックスリーブ（６）を有し、取付けピン（４）が、頭部とは反対の穴側から、スリーブ壁を変形しながらプラスチックスリーブ（６）へはまり合いで係合するものが記載される。有利な構造条件を与えるため、端部ブリッジ（８）の両方の取付けピン（４）がプラスチックから成り、両方のプラスチックスリーブ（６）が、共通な止め頭部（７）を介して互いに結合され、取付けピン（４）のプラスチックの弾性係数が、プラスチックスリーブ（６）のプラスチックの少なくとも３倍の弾性係数に等しいことが、提案される。
2005521897.tif 000002
【特許請求の範囲】
【請求項１】
構造部分（１）を眼鏡レンズ（２）に取付ける装置であって、レンズ縁にかぶさる構造部分（１）の端部ブリッジ（８）、端部ブリッジ（８）から突出しかつ逆鉤状断面の環状隆起（５）を持つ２つの平行な取付けピン（４）、及び眼鏡レンズ（２）の穴へ挿入可能で穴縁にかぶさる頭部を持つプラスチックスリーブ（６）を有し、取付けピン（４）が、頭部とは反対の穴側から、スリーブ壁を変形しながらプラスチックスリーブ（６）へはまり合いで係合するものにおいて、端部ブリッジ（８）の両方の取付けピン（４）がプラスチックから成り、両方のプラスチックスリーブ（６）が、共通な止め頭部（７）を介して互いに結合され、取付けピン（４）のプラスチックの弾性係数が、プラスチックスリーブ（６）のプラスチックの少なくとも３倍の弾性係数に等しいことを特徴とする装置。
【請求項２】
両方のプラスチックスリーブ（６）が結晶性プラスチックから成り、取付けピン（４）が非晶性プラスチックから成っていることを特徴とする、請求項１に記載の装置。
【発明の詳細な説明】
【技術分野】
【０００１】  本発明は、構造部分を眼鏡レンズに取付ける装置であって、レンズ縁にかぶさる構造部分の端部ブリッジ、端部ブリッジから突出しかつ逆鉤状断面の環状隆起を持つ２つの平行な取付けピン、及び眼鏡レンズの穴へ挿入可能で穴縁にかぶさる頭部を持つプラスチックスリーブを有し、取付けピンが、頭部とは反対の穴側から、スリーブ壁を変形しながらプラスチックスリーブへはまり合いで係合するものに関する。
【背景技術】
【０００２】  金属の構造部分例えば鼻ブリッジ又は眼鏡弦を眼鏡レンズに取付けるため、レンズ縁にかぶさる端部ブリッジに、２つの突出する平行な取付けピンをろう着け又は溶接することが公知であり、取付けピンは逆鉤状断面の環状隆起を持ち、眼鏡レンズの縁に近い穴に保持される。この目的のため、穴へプラスチックスリーブが差込まれ、これらのスリーブは一端に穴縁へかぶさる頭部を持っている。頭部とは反対の側からプラスチックスリーブへ圧入される取付けピンの逆鉤状環状隆起がプラスチックスリーブへ食い込むので、取付けピンを軸線方向に固定するはまり合い結合部が生じる。なぜならば、プラスチックスリーブにかみ合わされる取付けピンは、頭部を介するプラスチックスリーブの軸線方向支持のため、穴から引出されることがないからである。平行な取付けピンは、更にねじれない支持を行い、それにより有利な取付け条件が与えられる。このような取付けをプラスチックから成る構造部分に対しても利用できるようにするため、両方の取付けピンを形成するＵ形針金を端部ブリッジへ埋込むことができるが、それにより構造費が著しく増大し、更にＵ形針金をプラスチック内に確実に係留できるようにするため、レンズ縁にかぶさる端部ブリッジの拡張が必要になる。
【発明の開示】
【０００３】  従って本発明の基礎になっている課題は、永続的で荷重をかけることができる結合をやめる必要なしに、端部ブリッジの小さい寸法で簡単な組立て状態を確実にすることができるように、プラスチックから成る構造部分を眼鏡レンズに取付ける装置を構成することである。
【０００４】  最初にあげた種類の構造部分を眼鏡レンズに取付ける装置から出発して、本発明は、端部ブリッジの両方の取付けピンがプラスチックから成り、両方のプラスチックスリーブが、共通な止め頭部を介して互いに結合され、取付けピンのプラスチックの弾性係数が、プラスチックスリーブのプラスチックの少なくとも３倍の弾性係数に等しいことによって、与えられた課題を解決する。
【０００５】  端部ブリッジをプラスチックから成る両方の取付けピンと一体に形成すると、まず端部ブリッジの拡張を必要としない簡単な構造状態が与えられるので、端部ブリッジの比較的小さい寸法が得られ、このことは、レンズ縁へのかぶさり及び場合によってはそれに伴う視界妨げに関して著しく重要である。取付けピンのプラスチックの弾性係数が、プラスチックスリーブのプラスチックの少なくとも３倍の弾性係数に等しいと、取付けピンをプラスチックから構成するにもかかわらず、プラスチックスリーブ中における取付けピンの引張りに充分耐える係留が、逆鉤状断面の環状隆起を介して保証される。なぜならば、この場合取付けピンの環状隆起は、プラスチックスリーブへ食い込むための充分な硬さを持たないが、プラスチックスリーブの範囲においてスリーブ材料の冷間流れを得るのに充分な硬さを持っている結果、プラスチックスリーブの内壁に環状溝が形成されて、それに伴うはまり合いのため、プラスチックスリーブ内における取付けピンの引張りに耐える永続的な係留を可能にするからである。これに関して考慮すべきことは、取付けピンの可能な硬さが、硬さと共に増大するが許容範囲内に保持されねばならないもろさによって制限されることである。更にプラスチックから成る取付けピンは、針金ピンと比較して、生じる荷重を吸収するため大きいピン直径を必要とする。大きいピン直径は、端部ブリッジの同じ寸法では、取付けピンの間に少ない自由空間を生じ、それにより場所不足のため、頭部を介して穴縁へのプラスチックスリーブの支持が困難になる。この事情を考慮するため、両方のプラスチックスリーブが共通な止め頭部を介して互いに結合されている。これにより、両方のプラスチックスリーブが一緒に取扱われるため、特に簡単な組立て状態が得られるだけでなく、穴縁におけるプラスチックスリーブの軸線方向支持が著しく改善されるので、本発明による手段によって、眼鏡レンズと金属の構造部分との結合のための公知の条件と直ちに比較されるプラスチック部分の取付け状態が得られる。
【０００６】  既に説明したように、プラスチックスリーブ内における取付けピンの引張りに耐える係留のためプラスチックスリーブの冷間流れ特性が、重要な役割を果たす。これに関して、両方のプラスチックスリーブが結晶性プラスチックから成り、取付けピンが非晶性プラスチックからなっていると、特に有利な状態が得られる。なぜならば、結晶性プラスチックは、非晶性プラスチックに比較して、著しく良い冷間流れ特性を示すからである。
【発明を実施するための手段】
【０００７】  プラスチックから成る構造部分１例えば鼻ブリッジ又は弦を眼鏡レンズ２に取付けるため、眼鏡レンズ２は２つの隣接する平行な穴３を持ち、構造部分１に一体に形成される取付けピン４がこれらの穴３にはまっている。これらの取付けピン４は、逆鉤状断面を持つ環状隆起５を備えている。取付けピン４の保持は、眼鏡レンズ２の穴３内で直接行われず、穴３へ差込まれかつ共通な止め頭部７により互いに結合されているプラスチックスリーブ６を介して行われる。プラスチックスリーブ６は、眼鏡レンズ２の構造部分１とは反対の側から穴３へ差込まれて、スリーブ壁から半径方向へ突出する止め頭部７が穴縁に当たり、眼鏡レンズ２の止め頭部７とは反対の側で穴３からプラスチックスリーブ６を引出すのを防止する支持体を形成している。
【０００８】  レンズ縁にかぶさる構造部分１の端部ブリッジ８に設けられている取付けピン４が、その逆鉤状断面の環状隆起５によりスリーブ壁へ食い込むので、取付けピン４とプラスチックスリーブ６との間に、引張りに充分耐える結合が行われる結果、構造部分１は眼鏡レンズ２に永続的に結合されている。なぜならば、取付けピン４は、適当な力を加えることなしには、眼鏡レンズ２にある穴３により周囲を包囲されるプラスチックスリーブ６から、もはや引出すことができないからである。しかしこのための前提条件は、取付けピン４のプラスチックの弾性係数がプラスチックスリーブ６のプラスチック弾性係数の少なくとも３倍に等しいことである。この手段により、環状隆起５がスリーブ壁へ圧入され、それにより生じる圧力荷重のためプラスチックスリーブのプラスチックの冷間流れを生じる結果、スリーブ壁に環状溝が形成され、取付けピン４の環状隆起５がこれらの環状溝へはまり合いで係合するので、それにより取付けピン４とプラスチックスリーブ６との間に生じるはまり合いを介して、眼鏡レンズ２に構造部分１を取付けるために十分な保持力が形成される。これに関して考慮すべきことは、保持力を増大するため構造部分の硬さを高めることはできるであろうが、それにより取付けピン４の範囲で脆性破壊の危険が増大する。これに一部矛盾する要求を満たすため、眼鏡レンズ２に取付けるべき構造部分１のために、６０ＭＰａの降伏応力及び僅かな冷間流れ傾向を持つ１５００ＭＰａの弾性係数を持つ非晶質プラスチックがよいことがわかった。プラスチックスリーブ６は、２５ＭＰａの降伏応力及び良好な冷間流れ特性を持つ４５０ＭＰａの弾性係数を持つ結晶質プラスチックから製造された。一層硬いプラスチックスリーブ６のため（取付けピン５の強さは大体において構造部分１に対する要求及び取付けピン４の許容もろさによって規定される）、弾性係数の３倍より下に低下すると、逆鉤状環状隆起５がますます変形するようになり、眼鏡レンズ２の穴３内の圧力が上昇し、それにより眼鏡レンズ２の破壊する危険が増大する。弾性係数の比が増大され、プラスチックスリーブが一層軟らかく構成されると、取付け装置の保持力が低下する。
【図面の簡単な説明】
【０００９】
【図１】  プラスチックから成る構造部分を眼鏡レンズに取付けるための本発明による装置を簡単化された断面で示す。
【図２】  取付け装置のために必要なプラスチックスリーブを断面で示す。
【図１】
2005521897.tif 000003
【図２】
2005521897.tif 000004
【国際調査報告】
2005521897.tif 000005
2005521897.tif 000006
2005521897.tif 000007
2005521897.tif 000008
2005521897.tif 000009
2005521897.tif 000010